(57)【要約】【課題】入力信号に対するフィードバック信号の遅延量を精度良く推定する遅延量推定装置および信号送信装置を提供する。【解決手段】入力信号に対する、入力信号に信号処理を施して出力する信号処理装置からのフィードバック信号の遅延量を推定する遅延量推定装置において、入力信号とフィードバック信号との間の最大相関値が得られる遅延値である遅延設定値よりも小さい第１の遅延値と遅延設定値よりも大きい第２の遅延値であって相関値が互いに等しい第１の遅延値と第２の遅延値を探索する遅延値探索部と、遅延値探索部での探索終了後の第１の遅延値τ１と第２の遅延値τ２との中間の遅延値(τ１＋τ２）／２を、入力信号に対するフィードバック信号の遅延量として推定する遅延推定部とを備えた。【選択図】        図４
2010034863.tif 000002
【特許請求の範囲】
【請求項１】
入力信号に対する、該入力信号に信号処理を施して出力する信号処理装置からのフィードバック信号の遅延量を推定する遅延量推定装置において、
入力信号とフィードバック信号との間の最大相関値が得られる遅延値である遅延設定値よりも小さい第１の遅延値と該遅延設定値よりも大きい第２の遅延値であって相関値が互いに等しい第１の遅延値と第２の遅延値を探索する遅延値探索部と、
前記遅延値探索部での探索終了後の第１の遅延値τ１と第２の遅延値τ２との中間の遅延値(τ１＋τ２）／２を、前記入力信号に対する前記フィードバック信号の遅延量として推定する遅延推定部とを備えたことを特徴とする遅延量推定装置。
【請求項２】
入力信号とフィードバック信号との間で相関演算を行って前記最大相関値を算出する最大相関値算出部を備え、
前記遅延値探索部が、入力信号とフィードバック信号との間の最大相関値が得られる遅延値である遅延設定値よりも小さい第１の遅延値と該遅延設定値よりも大きい第２の遅延値であって前記最大相関値算出部で算出された最大相関値に基づいて設定される比較相関値を有する第１の遅延値と第２の遅延値を探索するものであることを特徴とする請求項１記載の遅延量推定装置。
【請求項３】
入力信号の平均電力値を算出する平均電力値算出部を備え、
前記遅延値探索部が、入力信号とフィードバック信号との間の最大相関値が得られる遅延値である遅延設定値よりも小さい第１の遅延値と該遅延設定値よりも大きい第２の遅延値であって前記平均電力値算出部で算出された平均電力値に基づいて設定される比較相関値を有する第１の遅延値と第２の遅延値を探索するものであることを特徴とする請求項１記載の遅延量推定装置。
【請求項４】
前記遅延値探索部が、前記第１の遅延値と前記第２の遅延値のそれぞれについて、該遅延値における相関値と比較相関値との大小を判定し該遅延値における相関値を該比較相関値に近づける方向に、該遅延値を第１の遅延幅ずつ、変更後の遅延値における相関値と該比較相関値との大小関係が逆転するまで変化させ、該大小関係が逆転した場合に、該遅延値を、該遅延値における相関値を該比較相関値に近づける方向に、前記第１の遅延幅よりも小さい第２の遅延幅ずつ、変更後の遅延値における相関値と該比較相関値との大小関係が逆転するまで変化させ、これを順次繰り返すことにより、該第１の遅延値における相関値と該第２の遅延値における相関値との双方が該比較相関値に揃った、該第１の遅延値と該第２の遅延値を求めるものであることを特徴とする請求項２又は３記載の遅延量推定装置。
【請求項５】
前記第１の遅延値τ１の初期値である第１の初期遅延値τ１０と前記第２の遅延値τ２の初期値である第２の初期遅延値τ２０とを設定する初期遅延値設定部を備え、
前記遅延値探索部が、前記初期遅延値設定部で設定された前記第１の遅延値τ１と前記第２の遅延値τ２の少なくとも一方の遅延値を変化させて、該第１の遅延値τ１における相関値と該第２の遅延値τ２における相関値が互いに等しくなる該第１の遅延値τ１と該第２の遅延値τ２を探索するものであることを特徴とする請求項１記載の遅延量推定装置。
【請求項６】
入力信号とフィードバック信号との間で相関演算を行って前記最大相関値を算出する最大相関値算出部を備え、
前記初期遅延値設定部が、前記第１の初期遅延値τ１０と前記第２の初期遅延値τ２０とのうちの一方の初期遅延値について、前記最大相関値算出部で算出された最大相関値に基づいて設定される比較相関値が得られる遅延値を該一方の初期遅延値として設定し、該最大相関値が得られる遅延設定値から該一方の初期遅延値までの遅延幅と同一の遅延幅だけ、該遅延設定値から該一方の初期遅延値とは反対方向に離れた遅延値を他方の初期遅延値として設定するものであることを特徴とする請求項５記載の遅延量推定装置。
【請求項７】
前記遅延値探索部は、前記第１の遅延値τ１と前記第２の遅延値τ２との間の遅延値幅（τ２−τ１）を、前記初期遅延値設定部で設定された前記第１の初期遅延値τ１０と前記第２の初期遅延値τ２０との間の遅延値幅(τ２０−τ１０）に固定したまま、該第１の遅延値と該第２の遅延値とを変化させて、該第１の遅延値τ１における相関値と該第２の相関値τ２における相関値が互いに等しくなる該第１の遅延値τ１と該第２の遅延値τ２を探索するものであることを特徴とする請求項５又は６記載の遅延量推定装置。
【請求項８】
前記遅延値探索部が、前記第１の遅延値と前記第２の遅延値の双方を、該第１の遅延値における相関値と該第２の遅延値における相関値のうちの値の大きい方の相関値の値を下げるとともに値の小さい方の相関値の値を上げる方向に、第１の遅延幅ずつ、変更後の、第１の遅延値における相関値と第２の遅延値における相関値との大小関係が逆転するまで変化させ、該大小関係が逆転した場合に、該第１の遅延値と該第２の遅延値との双方を、該第１の遅延値における相関値と該第２の遅延値における相関値のうちの値の大きい方の相関値の値を下げるとともに値の小さい方の相関値の値を上げる方向に、前記第１の遅延幅よりも小さい第２の遅延幅ずつ、変更後の、第１の遅延値における相関値と第２の遅延値における相関値の大小関係が逆転するまで変化させ、これを順次繰り返すことにより該第１の遅延値における相関値と該第２の遅延値における相関値が互いに等しくなる、該第１の遅延値と該第２の遅延値を求めるものであることを特徴とする請求項７記載の遅延量推定装置。
【請求項９】
入力信号を増幅する増幅回路と、
前記入力信号由来の第１の信号と、前記増幅回路の出力信号由来の第２の信号とに基づいて、該増幅回路から歪みが低減された出力信号が出力されるように入力信号を補正して該増幅回路に供給する歪補正回路と、
入力信号に対する、前記増幅回路からのフィードバック信号の遅延量を推定する遅延推定回路と、
前記遅延推定回路で推定された遅延量に基づいて前記第１の信号を遅延させて前記歪み補正回路に供給する遅延回路と、
前記増幅回路によって増幅された信号を送信する送信回路とを備え、
前記遅延推定回路は、
入力信号とフィードバック信号との間の最大相関値が得られる遅延値である遅延設定値よりも小さい第１の遅延値と該遅延設定値よりも大きい第２の遅延値であって相関値が互いに等しい第１の遅延値と第２の遅延値を探索する遅延値探索部と、
前記遅延値探索部での探索終了後の第１の遅延値τ１と第２の遅延値τ２との中間の遅延値(τ１＋τ２）／２を、前記入力信号に対する前記フィードバック信号の遅延量として推定する遅延推定部とを備えたことを特徴とする信号送信装置。
【発明の詳細な説明】
【技術分野】
【０００１】
本発明は、入力信号に信号処理を施して出力する信号処理装置からのフィードバック信号の遅延量を推定する遅延量推定装置、および信号を送信する信号送信装置に関する。
【背景技術】
【０００２】
近年、無線通信の分野においては、周波数資源が逼迫してきており、ディジタル変調方式を利用した高能率伝送が広く適用されてきている。ディジタル変調方式を利用した無線通信装置には、変調後の信号を増幅して出力するための電力増幅器が設けられていることが一般的である。
【０００３】
電力増幅器は、飽和領域近傍で動作させることによって、電力の利用効率を高めることができる。しかし、入力信号の電力が大きい場合、出力信号に非線形歪が発生して周波数スペクトルが広がってしまい、出力信号の電力が隣接するチャネルに漏洩してしまうという問題がある。このため、無線通信装置には、電力増幅器から出力される信号の歪みを補償して、隣接チャネルに対する漏洩電力を低減するための歪補償機構が搭載されている。
【０００４】
図１は、電力増幅器および歪補償機構の概略的な機能ブロック図である。
【０００５】
図１には、入力信号の電力を増幅する電力増幅器１０と、プリディストーション部２０、遅延調整部３０、および遅延推定部４０で構成され、電力増幅器１０から出力される出力信号の歪みを補償するための歪補償機構とが示されている。
【０００６】
遅延調整部３０および遅延推定部４０には、入力信号Ｓ（ｔ）と、電力増幅器１０から出力されたフィードバック信号Ｓ（ｔ−τ）とが入力される。遅延推定部４０では、入力信号に対するフィードバック信号の遅延量τが推定され、遅延調整部３０では、入力信号が遅延量τだけ遅延されてプリディストーション部２０に伝達される。その結果、プリディストーション部２０には、入力信号Ｓ（ｔ）とフィードバック信号Ｓ（ｔ−τ）とが同じタイミングで入力されることとなる。さらに、プリディストーション部２０では、それら入力信号とフィードバック信号とに基づいて歪みの逆特性が求められ、入力信号に求められた逆特性が乗算されることによって、電力増幅器１０から出力される出力信号の歪みが低減される。
【０００７】
ここで、無線通信システムでは、ユーザの利用状況などによって信号の電力量や帯域幅が調整されるため、電力増幅器１０から出力されるフィードバック信号の遅延量も随時変化する。このため、プリディストーション部２０における歪補償性能を向上させるためには、入力信号に対するフィードバック信号の遅延量τを精度良く推定する必要がある。
【０００８】
遅延量を推定する方法としては、遅延量を変化させながら入力信号とフィードバック信号との相関値を算出し、最大相関値が得られるときの遅延値τを最適な遅延量に決定する方法（例えば、特許文献１参照）や、最大相関値が得られるときの遅延値τを所定量だけずらした遅延量を採用する方法（例えば、特許文献２参照）などが提案されている。
【０００９】
図２は、入力信号に対するフィードバック信号の遅延量と、入力信号とフィードバック信号との相関値との関係を示す図である。
【００１０】
図２の横軸には、入力信号に対するフィードバック信号の遅延量が対応付けられており、図２の縦軸には、入力信号とフィードバック信号との相関値が対応付けられている。
【００１１】
図１に示す遅延推定部４０では、相関演算部４２において、入力信号に対するフィードバック信号の遅延量τを所定量ずつ変えながら、各遅延量τにおける入力信号とフィードバック信号との相関値が算出され、最大相関値判定部４１において、最大相関値が得られるときの遅延値τｍが最適な遅延量として決定される。
【特許文献１】特開２００１−１８９６８５号公報
【特許文献２】特開平９−６４８５７号広報
【発明の開示】
【発明が解決しようとする課題】
【００１２】
しかし、最大相関値が得られる付近では、遅延量の変化に対する相関値の変化が小さいため、演算誤差の影響が大きく表れてしまい、相関値がばらついてしまう。このため、最大相関値を精度良く決定することができず、最大相関値だけを使って最適な遅延量を決定することは困難であるという問題がある。
【００１３】
上記事情に鑑み、本件開示の遅延量推定装置および信号送信装置の課題は、入力信号に対するフィードバック信号の遅延量を精度良く推定することにある。
【課題を解決するための手段】
【００１４】
本件開示の遅延量推定装置の基本形態は、
入力信号に対する、入力信号に信号処理を施して出力する信号処理装置からのフィードバック信号の遅延量を推定する遅延量推定装置において、
入力信号とフィードバック信号との間の最大相関値が得られる遅延値である遅延設定値よりも小さい第１の遅延値と遅延設定値よりも大きい第２の遅延値であって相関値が互いに等しい第１の遅延値と第２の遅延値を探索する遅延値探索部と、
遅延値探索部での探索終了後の第１の遅延値τ１と第２の遅延値τ２との中間の遅延値(τ１＋τ２）／２を、入力信号に対するフィードバック信号の遅延量として推定する遅延推定部とを備えたことを特徴とする。
【００１５】
本件開示の遅延量推定装置によると、最大相関値が得られる遅延値である遅延設定値を挟んだ、相関値が互いに等しい第１の遅延値と第２の遅延値が探索され、それらの遅延値の中間の遅延値が入力信号に対するフィードバック信号の遅延量として推定される。このため、相関値のばらつきなどが生じてしまっても、入力信号に対するフィードバック信号の遅延量を精度良く推定することができる。
【００１６】
また、本件開示の信号送信装置の基本形態は、
入力信号を増幅する増幅回路と、
入力信号由来の第１の信号と、増幅回路の出力信号由来の第２の信号とに基づいて、増幅回路から歪みが低減された出力信号が出力されるように入力信号を補正して増幅回路に供給する歪補正回路と、
入力信号に対する、増幅回路からのフィードバック信号の遅延量を推定する遅延推定回路と、
遅延推定回路で推定された遅延量に基づいて第１の信号を遅延させて歪み補正回路に供給する遅延回路と、
増幅回路によって増幅された信号を送信する送信回路とを備え、
上記遅延推定回路は、
入力信号とフィードバック信号との間の最大相関値が得られる遅延値である遅延設定値よりも小さい第１の遅延値と遅延設定値よりも大きい第２の遅延値であって相関値が互いに等しい第１の遅延値と第２の遅延値を探索する遅延値探索部と、
遅延値探索部での探索終了後の第１の遅延値τ１と第２の遅延値τ２との中間の遅延値(τ１＋τ２）／２を、入力信号に対する前記フィードバック信号の遅延量として推定する遅延推定部とを備えたことを特徴とする。
【００１７】
本件開示の信号送信装置によると、入力信号に対するフィードバック信号の遅延量が高精度に推定され、入力信号とフィードバック信号とを同じタイミングで歪み補正回路に供給することができる。このため、増幅回路から出力される出力信号の歪みを精度よく補償することができ、隣接チャネルへの漏洩電力を低減することができる。
【発明の効果】
【００１８】
以上説明したように、本件開示の遅延量推定装置および信号送信装置によると、入力信号に対するフィードバック信号の遅延量を精度良く推定することができる。
【発明を実施するための最良の形態】
【００１９】
以下、図面を参照して、上記説明した基本形態に対する具体的な実施形態を説明する。
【００２０】
図３は、上述した遅延量推定装置および信号送信装置の一実施形態である信号送信装置の概略構成図である。
【００２１】
図３に示すように、信号送信装置１００は、入力信号を生成する信号生成部１１０と、信号生成部１１０で生成された入力信号Ｓ（ｔ）に対する、信号増幅器１７０から出力されるフィードバック信号Ｓｆ（ｔ−τ）の遅延量τを推定する遅延推定部１２０と、入力信号Ｓ（ｔ）を遅延推定部１２０で推定された遅延量τだけ遅延させてプリディストーション部１４０に伝える遅延調整部１３０と、遅延されて入力された入力信号Ｓ（ｔ−τ）とフィードバック信号Ｓｆ（ｔ−τ）とに基づいて、信号増幅器１７０から非線形歪みが低減された出力信号が出力されるように入力信号を補正するプリディストーション部１４０と、デジタル信号をアナログ信号に変換するＤ／Ａ変換部１５０と、信号を増幅する信号増幅器１７０と、アナログ信号をデジタル信号に変換するＡ／Ｄ変換部１６０と、信号増幅器１７０からの出力信号をアンテナ１９０を使って送信する信号送信部１８０とを備えている。
【００２２】
信号生成部１１０で生成された入力信号Ｓ（ｔ）は、遅延調整部１３０に伝えられるとともに、プリディストーション部１４０を介してＤ／Ａ変換部１５０に伝えられ、アナログ信号に変換された後で電力増幅部１７０に伝えられる。
【００２３】
電力増幅部１７０では、入力信号Ｓ（ｔ）が増幅され、そのフィードバック信号Ｓｆ（ｔ−τ）がＡ／Ｄ変換部１６０でデジタル信号に変換された後で、プリディストーション部１４０および遅延推定部１２０に入力される。
【００２４】
遅延推定部１２０の相関演算部１２１では、入力信号Ｓ（ｔ）に対するフィードバック信号Ｓｆ（ｔ−τ）の遅延量を変えながら、入力信号とフィードバック信号の相関値が算出され、比較基準値判定部１２２では、算出された複数の相関値のうち互いに等しい２つの相関値それぞれが得られる第１遅延値τ１および第２遅延値τ２が探索され、中心相関値判定部１２３では、探索された第１遅延値τ１と第２遅延値τ２の中間の遅延値が最適な遅延量（以下では、最適遅延量と称する）として決定される。最適遅延量の算出方法については、後で詳しく説明する。遅延推定部１２０は、上述した遅延推定回路の一例に相当し、比較基準値判定部１２２は、上述した遅延探索部の一例にあたり、中心相関値判定部１２３は、上述した遅延推定部の一例に相当する。
【００２５】
遅延調整部１３０では、入力信号Ｓ（ｔ）が決定された最適遅延量だけ遅延されて、プリディストーション部１４０に伝えられる。その結果、プリディストーション部１４０には、入力信号Ｓ（ｔ−τ）とフィードバック信号Ｓｆ（ｔ−τ）とが同じタイミングで入力されることとなる。遅延調整部１３０は、上述した遅延回路の一例に相当する。
【００２６】
プリディストーション部１４０では、入力信号Ｓ（ｔ−τ）とフィードバック信号Ｓｆ（ｔ−τ）とに基づいて、信号増幅器１７０から出力される出力信号の非線形歪みが低減されるように、入力信号が補正される。補正後の入力信号Ｓ（ｔ−τ）がアナログ変換されて信号増幅器１７０に伝えられ、信号増幅器１７０で増幅された後、信号送信部１８０によってアンテナ１９０を介して送信される。プリディストーション部１４０は、上述した歪補正回路の一例にあたり、信号増幅器１７０は、上述した増幅回路の一例にあたり、信号送信部１８０は、上述した送信回路の一例に相当する。
【００２７】
信号送信装置１００は、基本的には以上のように構成されている。
【００２８】
続いて、最適遅延量の算出方法について詳しく説明する。
【００２９】
図４は、最適遅延量の算出方法を示す概念図であり、図５は、最適遅延量を算出する一連の処理の流れを示すフローチャート図である。
【００３０】
図４の横軸には、入力信号に対するフィードバック信号の遅延量が対応付けられており、図４の縦軸には、入力信号とフィードバック信号の相関値が対応付けられている。
【００３１】
まず、図３に示す相関値演算部１２１において、入力信号Ｓ（ｔ）とフィードバック信号Ｓ（ｔ−τ）との相関値が算出されることにより、図４に示すグラフＧが抽出されるとともに、最大相関値Ｒｍａｘが推定される（最大相関値探索処理：図５のステップＳ１１）。
【００３２】
図６は、最大相関値探索処理の一連の流れを示すフローチャート図である。
【００３３】
はじめに、探索回数Ｎが予め決められた規定数Ｎ０に設定されるとともに、最大相関値Ｒｍａｘ、および現在の比較回数ｉの初期値「０」が設定される（図６のステップＳ１１１）。
【００３４】
続いて、現在の比較回数ｉが予め設定されている規定回数Ｎの１つ前の値「Ｎ−１」以下である場合（図６のステップＳ１１２：Ｙｅｓ）、比較回数ｉに応じた遅延値τｉだけ遅延させた入力信号Ｓ（ｔ−τｉ）とフィードバック信号（ｔ−τ）との相関値Ｒｉが算出される（図６のステップＳ１１３）。
【００３５】
現時点で設定されている最大相関値Ｒｍａｘが、ステップＳ１１３で算出された相関値Ｒｉよりも小さい場合（図６のステップＳ１１４：Ｎｏ）、最大相関値Ｒｍａｘが相関値Ｒｉに書き換えられるとともに、最大相関値Ｒｍａｘが得られる遅延値である遅延設定値τｍが相関値Ｒｉの遅延値τｉに設定される（図６のステップＳ１１５）。
【００３６】
続いて、現在の比較回数ｉがインクリメントされる（図６のステップＳ１１６）。
【００３７】
以上のような処理が、現在の比較回数ｉが規定回数Ｎの１つ前の値「Ｎ−１」に達するまで（図６のステップＳ１１２：Ｎｏ）、すなわち、規定回数「Ｎ」回繰り返されることによって、図４に示すようなグラフＧが得られるとともに、最大相関値Ｒｍａｘと遅延設定値τｍが推定される。
【００３８】
最大相関値探索処理が終了すると、図３に示す比較基準判定部１２２において、遅延設定値τｍを挟む第１遅延値τ１および第２遅延値τ２が設定される（図５のステップＳ１２）。この例では、まず、最大相関値Ｒｍａｘの１／Ｎ倍である比較相関値Ｒｍａｘ／Ｎが算出され、その比較相関値Ｒｍａｘ／Ｎが得られ、遅延設定値τｍよりも小さい第１遅延値τ１の初期値τ１０が取得される。さらに、遅延設定値τｍと第１遅延値τ１の初期値τ１０との差分Δτが算出されるとともに、遅延設定値τｍに差分Δτが加算された第２遅延τ２の初期値τ２０が取得される。このようにして、遅延設定値τｍを挟み、遅延設定値τｍから差分Δτだけ離れた第１遅延値τ１（初期値τ１０）および第２遅延値τ２（初期値τ２０）が設定される。
【００３９】
続いて、第１遅延値τ１および第２遅延値τ２が移動されながら、相関値が相互に等しくなるときの第１遅延値τ１および第２遅延値τ２が探索され、最終的に探索された第１遅延値τ１および第２遅延値τ２の中間の遅延値が最適遅延量τに決定される（高分解能調整処理：図５のステップＳ１３）。
【００４０】
ここで、上述した遅延量推定装置の基本形態に対し、第１の遅延値の初期値である第１の初期遅延値τ１０と前記第２の遅延値τ２の初期値である第２の初期遅延値τ２０とを設定する初期遅延値設定部を備え、
遅延値探索部が、初期遅延値設定部で設定された第１の遅延値τ１と第２の遅延値τ２の少なくとも一方の遅延値を変化させて、第１の遅延値τ１における相関値と第２の遅延値τ２における相関値が互いに等しくなる第１の遅延値τ１と第２の遅延値τ２を探索するものであるという応用形態は好ましい。
【００４１】
この遅延量推定装置の応用形態によると、同じ相関値が得られる２つの遅延値の中間の遅延値が最適遅延量τとして決定されるため、相関値のばらつきなどによって最大相関値が精度良く検出できない場合であっても、効率良く遅延量を求めることができる。
【００４２】
図７は、高分解能調整処理における一連の流れを示すフローチャート図である。
【００４３】
高分解能調整処理では、まず、図６のステップＳ１２で設定された第１遅延値τ１（初期値τ１０）および第２遅延値τ２（初期値τ２０）それぞれにおける相関値Ｒτ１，Ｒτ２が取得される（図７のステップＳ１２１）。
【００４４】
続いて、取得された２つの相関値Ｒτ１，Ｒτ２の差分が算出され、それらの差分の絶対値｜相関値Ｒτ１−Ｒτ２｜が所定の許容値αと比較される（図７のステップＳ１２２）。２つの相関値Ｒτ１，Ｒτ２の絶対値｜相関値Ｒτ１−Ｒτ２｜が許容値αよりも大きい場合（図７のステップＳ１２２：Ｎｏ）、第１遅延値τ１の第１相関値Ｒτ１が第２遅延値τ２の第２相関値Ｒτ２以下であるときには（図７のステップＳ１２３：Ｎｏ）、所定の遅延変更幅Δｄがプラスの値に設定され（図７のステップＳ１２４）、第１相関値Ｒτ１が第２相関値Ｒτ２よりも大きいときには（図７のステップＳ１２３：Ｙｅｓ）、遅延変更幅Δｄがマイナスの値に設定される（図７のステップＳ１２５）。
【００４５】
続いて、第１遅延値τ１および第２遅延値τ２それぞれに遅延変更幅Δｄが加算されて新たな第１遅延値τ１および第２遅延値τ２が算出されて（図７のステップＳ１２６）、それら新たな第１遅延値τ１および第２遅延値τ２それぞれの第１相関値Ｒτ１および第２相関値Ｒτ２が取得され（図７のステップＳ１２１）、上記の処理が、それら第１相関値Ｒτ１と第２相関値Ｒτ２の差分の絶対値が許容値α以下になるまで繰り返される（図７のステップＳ１２２）。
【００４６】
この高分解能調整処理では、図４に示すグラフＧ上において、まずは、最大相関値Ｒｍａｘが得られる遅延設定値τｍとの距離が相互に等しい第１遅延値τ１と第２遅延値τ２とが取得され、遅延値幅を固定した状態でそれらを変化させて、相関値が互いに等しくなる第１遅延値τ１と第２遅延値τ２が探索される。
【００４７】
最終的に第１遅延値τ１と第２遅延値τ２とが探索されると、図３の中心相関値判定部１２３では、それら第１遅延値τ１と第２遅延値τ２の中間の遅延値（τ１＋τ２）／２が最適遅延量と決定される（図７のステップＳ１２７）。
【００４８】
ここで、上述した遅延量推定装置の応用形態に対し、入力信号とフィードバック信号との間で相関演算を行って最大相関値を算出する最大相関値算出部を備え、
初期遅延値設定部が、第１の初期遅延値τ１０と第２の初期遅延値τ２０とのうちの一方の初期遅延値について、最大相関値算出部で算出された最大相関値に基づいて設定される比較相関値が得られる遅延値を該一方の初期遅延値として設定し、最大相関値が得られる遅延設定値から一方の初期遅延値までの遅延幅と同一の遅延幅だけ、遅延設定値からその一方の初期遅延値とは反対方向に離れた遅延値を他方の初期遅延値として設定するものであるという応用形態は好ましく、さらに、
遅延値探索部は、第１の遅延値τ１と第２の遅延値τ２との間の遅延値幅（τ２−τ１）を、初期遅延値設定部で設定された第１の初期遅延値τ１０と第２の初期遅延値τ２０との間の遅延値幅(τ２０−τ１０）に固定したまま、第１の遅延値と第２の遅延値とを変化させて、第１の遅延値τ１における相関値と第２の相関値τ２における相関値が互いに等しくなる第１の遅延値τ１と第２の遅延値τ２を探索するものであるという応用形態も好ましい。
【００４９】
これらの応用形態によると、入力信号に対するフィードバック信号の遅延量を効率良く、かつ精度良く推定することができる。
【００５０】
以上のように、同じ相関値が得られる２つの遅延値τ１，τ２を探索し、それらの中間の遅延値を最適遅延量と推定することによって、入力信号に対するフィードバック信号の遅延量を精度良く推定することができ、電力増幅器１７０から出力される出力信号の歪みを確実に補償することができる。
【００５１】
以上で、第１実施形態の説明を終了し、第２実施形態について説明する。第２実施形態は、第１実施形態と同じ構成を有しており、最大相関値探索処理および高分解能調整処理の方法のみが第１実施形態とは異なる。このため、図３を第２実施形態の説明でも流用し、第１実施形態との相違点についてのみ説明する。
【００５２】
図８は、第２実施形態において、最適遅延量を算出する一連の処理の流れを示すフローチャート図である。
【００５３】
本実施形態においても、図５に示す第１実施形態と同様に、まずは、図３に示す相関値演算部１２１において最大相関値探索処理が実行される（図８のステップＳ２１）。
【００５４】
図９は、第２実施形態における最大相関値探索処理の一連の流れを示すフローチャート図である。
【００５５】
第２実施形態の最大相関値探索処理では、入力信号に対するフィードバック信号の遅延値を変更しながら、逐一、入力信号と出力信号との相関値を算出してグラフＧを抽出する処理が省かれ、はじめに、暫定的に、最大相関値Ｒｍａｘが得られる遅延設定値τｍ（初期値τ０）と、遅延値を変更する遅延値変更幅Ｘ（初期値Ｘ０）が設定される（図９のステップＳ２１１）。
【００５６】
続いて、暫定的な遅延設定値τｍを挟み、遅延設定値τｍと遅延値変更幅Ｘだけ離れた第１遅延値τ１（τ１＝τｍ−Ｘ）、および第２遅延値τ２（τ２＝τｍ＋Ｘ）が算出される（図９のステップＳ２１２）。
【００５７】
さらに、入力信号に対してフィードバック信号が遅延設定値τｍだけ遅延したときの、入力信号とフィードバック信号との相関値Ｒτｍが算出され（図９のステップＳ２１３）、遅延値変更幅Ｘが「１」以上である場合には（図９のステップＳ２１４：Ｎｏ）、第１遅延値τ１および第２遅延値τ２それぞれにおける入力信号とフィードバック信号との相関値Ｒτ１，Ｒτ２も算出される（図９のステップＳ２１５）。
【００５８】
図１０は、本実施形態の最大相関値探索処理を示す概念図である。
【００５９】
図９のステップＳ２１５の時点では、図１０（Ａ）に示すように、暫定的な遅延設定値τｍと、その遅延設定値τｍから遅延値変更幅Ｘだけ離れた第１遅延値τ１および第２遅延値τ２が抽出され、それら３つの遅延値τｍ，τ１，τ２それぞれにおける相関値Ｒτｍ，Ｒτ１，Ｒτ２が算出されている。尚、図１０には、図４と同様なグラフＧが示されているが、本実施形態においては、実際にはグラフＧは作成されず、必要な数点の演算のみが実行される。
【００６０】
３つの遅延値τｍ，τ１，τ２それぞれにおける相関値Ｒτｍ，Ｒτ１，Ｒτ２が算出されると、それらの相関値Ｒτｍ，Ｒτ１，Ｒτ２の中で最大の相関値が探索され、その探索された相関値が新たな最大相関値Ｒτｍに決定される（図９のステップＳ２１６）。図１０（Ａ）に示す例では、３つの相関値Ｒτｍ，Ｒτ１，Ｒτ２のうちの元の最大相関値Ｒτｍが新たな最大相関値Ｒτｍに決定される。
【００６１】
続いて、遅延値変更幅Ｘが１／Ｌ倍（Ｌは、１より大きい整数）され、新たな最大相関値Ｒτｍが得られる遅延設定値τｍと、新たな遅延値変更幅Ｘとを使って、遅延設定値τｍから遅延設定値Ｘだけ離れた第１遅延値τ１と第２遅延値τ２とが算出される（図９のステップＳ２１７）。
【００６２】
新たな遅延値変更幅Ｘが「１」以上である場合には（図９のステップＳ２１４：Ｎｏ）、新たな第１遅延値τ１および第２遅延値τ２それぞれにおける相関値Ｒτ１，Ｒτ２が算出され（図９のステップＳ２１５）、新たに、相関値Ｒτｍ、第１相関値Ｒτ１、および第２相関値Ｒτ２の中で最大の相関値が探索される（図９のステップＳ２１６）。
【００６３】
以上のような処理が、遅延値変更幅Ｘが１よりも小さくなるまで続けられる。
【００６４】
本実施形態においては、図１０（Ｂ）に示すように、遅延値変更幅Ｘが１／Ｌ倍される処理が繰り返されることによって、最大相関値の探索範囲が徐々に狭まっていき、最終的には、隣接する３点の中から最大相関値が選択されて、相関値Ｒτｍが最大相関値Ｒｍａｚに決定される。
【００６５】
このように、図９に示す最大相関値探索処理によると、入力信号に対するフィードバック信号の遅延値を変更しながら、逐一、入力信号と出力信号との相関値を算出してグラフＧを抽出する処理を省くことができ、高速に最大相関値を探索することができる。
【００６６】
最大相関値探索処理が終了すると、図５に示す第１実施形態と同様に、最大相関値Ｒｍａｘの１／Ｎ倍である比較相関値Ｒｍａｘ／Ｎが算出され、遅延設定値τｍを挟み、遅延設定値τｍから差分Δτだけ離れた第１遅延値τ１および第２遅延値τ２が設定される（図８のステップＳ２２）。
【００６７】
続いて、最適遅延量τを決定する高分解能調整処理が実行される（図８のステップＳ２３）。
【００６８】
図１１は、第２実施形態の高分解能調整処理における一連の流れを示すフローチャート図である。
【００６９】
本実施形態の高分解能調整処理においても、図７に示す第１実施形態と同様に、最大相関値探索処理で設定された第１遅延値τ１および第２遅延値τ２それぞれにおける相関値Ｒτ１，Ｒτ２が取得される（図１１のステップＳ２２１）。相関値Ｒτ１，Ｒτ２の差分の絶対値｜Ｒτ１−Ｒτ２｜が所定の許容値αよりも大きい場合には（図１１のステップＳ２２２：Ｎｏ）、それらの大きさが比較される。
【００７０】
第１遅延値τ１の第１相関値Ｒτ１が第２初期遅延値τ２の第２相関値Ｒτ２以下であるときには（図１１のステップＳ２２３：Ｙｅｓ）、所定の遅延変更幅Ｙがプラスの値に設定され（図１１のステップＳ２２４）、第１相関値Ｒτ１が第２相関値Ｒτ２よりも大きいときには（図１１のステップＳ２２３：Ｙｅｓ）、遅延変更幅Ｙがマイナスの値に設定される（図１１のステップＳ２２５）。
【００７１】
また、ステップＳ２２３およびステップＳ２２５によって、遅延変更幅Ｙの符号が変化しない場合は（図１１のステップＳ２２６：Ｎｏ）、遅延変更幅Ｙの大きさは変更されず、遅延変更幅Ｙの符号が変化した場合は（図１１のステップＳ２２６：Ｙｅｓ）、遅延変更幅Ｙが１／Ｌ倍（Ｌは１より大きい整数）され（図１１のステップＳ２２７）、さらに変更後の遅延変更幅Ｙの絶対値が「１」より小さい場合は（図１１のステップＳ２２８：Ｙｅｓ）、遅延変更幅Ｙの符号はそのままで絶対値のみ「１」に変更される（図１１のステップＳ２２９）。
【００７２】
遅延変更幅Ｙが決定されると、第１遅延値τ１および第２遅延値τ２それぞれに遅延変更幅Ｙが加算されて新たな第１遅延値τ１および第２遅延値τ２が算出され（図１１のステップＳ２３０）、それら新たな第１遅延値τ１および第２遅延値τ２それぞれの第１相関値Ｒτ１および第２相関値Ｒτ２が取得される（図１１のステップＳ２２１）。
【００７３】
図１２は、本実施形態の高分解調整処理を示す概念図である。
【００７４】
図１２（Ａ）に白丸でプロットした初期状態では、第１遅延値τ１の第１相関値Ｒτ１が第２遅延値τ２の第２相関値Ｒτ２よりも小さいため（図１１のステップＳ２２３：Ｙｅｓ）、遅延変更幅Ｙがプラスの値に設定され（図１１のステップＳ２２４）、遅延値τ１，τ２が遅延値幅Ｙだけプラス方向に移動される。
【００７５】
続いて、図１２（Ａ）および図１２（Ｂ）に黒丸でプロットされた新たな遅延値τ１，τ２それぞれの相関値Ｒτ１，Ｒτ２が算出され（図１１のステップＳ２２１）、それら新たな相関値Ｒτ１，Ｒτ２が比較される。これら新たな新たな相関値Ｒτ１，Ｒτ２を比較すると、第１遅延値τ１の第１相関値Ｒτ１が第２遅延値τ２の第２相関値Ｒτ２よりも大きくなっているため（図１１のステップＳ２２３：Ｎｏ）、遅延変更幅Ｙがマイナスの値に設定される（図１１のステップＳ２２５）。また、遅延変更幅Ｙの符号がプラスからマイナスに変化したため（図１１のステップＳ２２６：Ｙｅｓ）、遅延変更幅Ｙが１／Ｌ倍される（図１１のステップＳ２２７）。その結果、図１２（Ｂ）に示すように、黒丸でプロットされた元の遅延値τ１，τ２が、図１２（Ａ）の遅延値幅Ｙよりも狭い遅延変更幅Ｙだけマイナス方向に移動される。
【００７６】
上記の処理が、それら第１相関値Ｒτ１と第２相関値Ｒτ２の差分の絶対値が許容値α以下になるまで繰り返される（図１２のステップＳ２２２）。
【００７７】
ここで、上述した遅延量推定装置の基本形態に対し、
遅延値探索部が、第１の遅延値と第２の遅延値の双方を、第１の遅延値における相関値と第２の遅延値における相関値のうちの値の大きい方の相関値の値を下げるとともに値の小さい方の相関値の値を上げる方向に、第１の遅延幅ずつ、変更後の、第１の遅延値における相関値と第２の遅延値における相関値との大小関係が逆転するまで変化させ、大小関係が逆転した場合に、第１の遅延値と第２の遅延値との双方を、第１の遅延値における相関値と第２の遅延値における相関値のうちの値の大きい方の相関値の値を下げるとともに値の小さい方の相関値の値を上げる方向に、第１の遅延幅よりも小さい第２の遅延幅ずつ、変更後の、第１の遅延値における相関値と第２の遅延値における相関値の大小関係が逆転するまで変化させ、これを順次繰り返すことにより第１の遅延値における相関値と第２の遅延値における相関値が互いに等しくなる、第１の遅延値と第２の遅延値を求めるものであるという応用形態は好ましい。
【００７８】
第１遅延値τ１と第２遅延値τ２の双方を同じ方向に所定の遅延幅Ｙずつ移動させながら第１相関値Ｒτ１と第２相関値Ｒτ２の大小関係を比較し、それらの大小関係が逆転した場合には、第１遅延値τ１と第２遅延値τ２の双方を元の遅延幅Ｙよりも小さい遅延幅Ｙ／Ｌだけ戻す処理を繰り返すことによって、同じ相関値を有する第１遅延値τ１と第２遅延値τ２を高速に探索することができる。
【００７９】
本実施形態においても、最終的に探索された第１遅延値τ１と第２遅延値τ２の中間の遅延値（τ１＋τ２）／２が最適遅延量と決定される（図１０のステップＳ２３１）。
【００８０】
このように、本実施形態によると、最大相関値探索処理および高分解能調整処理の処理速度を向上させることができ、最適遅延量を高速に算出することができる。
【００８１】
以上で、第２実施形態の説明を終了し、第３実施形態について説明する。第３実施形態は、第１実施形態と同じ構成を有しており、高分解能調整処理の方法のみが第１実施形態とは異なる。このため、図３を第３実施形態の説明でも流用し、第１実施形態との相違点についてのみ説明する。
【００８２】
図１３は、第３実施形態において、最適遅延量を算出する一連の処理の流れを示すフローチャート図である。
【００８３】
本実施形態においては、まず、第１実施形態と同様に、図６に示す最大相関値探索処理が実行され（図１３のステップＳ４１）、最大相関値Ｒｍａｘが決定される。
【００８４】
続いて、最大相関値Ｒｍａｘの１／Ｎ倍である比較相関値θ（＝Ｒｍａｘ／Ｎ）が決定される（図１３のステップＳ４２）。
【００８５】
続いて、比較相関値θが得られる第１遅延値τ１と第２遅延値τ２が探索され、探索された第１遅延値τ１と第２遅延値τ２の中間の遅延値が最適遅延量τに決定される（高分解能調整処理：図１３のステップＳ４３）。
【００８６】
図１４は、第３実施形態における高分解能調整処理の一連の流れを示すフローチャート図である。
【００８７】
第３実施形態の高分解能調整処理では、比較相関値θが得られる第１遅延値τ１と第２遅延値τ２とを探索するのにあたり、現時点で最も比較相関値θに近い２つの近似相関値Ｒｍｉｎ１，Ｒｍｉｎ２の初期値が「∞」に設定され、現在の比較回数ｉ，ｊの初期値が「０」に設定される（図１４のステップＳ４１１）。
【００８８】
図１５は、第３実施形態における高分解能調整処理の概念を示す図である。
【００８９】
図１５に示すように、本実施形態の高分解能調整処理では、最大相関値Ｒｍａｘが得られる相関設定値τｍからの距離が等しくなるように第１遅延値τ１および第２遅延値τ２の初期値τ１０，τ２０が決定され、それら第１遅延値τ１および第２遅延値τ２がそれぞれを変化させながら、相関値が比較相関値θ（Ｒｍａｘ／Ｎ）に等しくなる第１遅延値τ１および第２遅延値τ２が決定される。
【００９０】
まず、第１遅延値τ１の初期値τ１０が、図１３のステップＳ４１で算出された最大相関値Ｒｍａｘが得られる遅延設定値τｍから所定の遅延値変更幅Δｄを引いた値（τｍ−Δｄ）に設定され、第２遅延値τ２の初期値τ２０が遅延設定値τｍに遅延値変更幅Δｄを加えた値（τｍ＋Δｄ）に設定される（図１４のステップＳ４１２）。
【００９１】
第１遅延値τ１および第２遅延値τ２の初期値が設定されると、まずは、小さい方の第１遅延値τ１が探索される。
【００９２】
図４に示すグラフＧから、現時点の第１遅延値τ１における第１相関値Ｒτ１が取得され、比較相関値θと第１相関値Ｒτ１との差分の絶対値（｜θ−Ｒτ１｜）と、比較相関値θと近似相関値Ｒｍｉｎ１との差分の絶対値（｜θ−Ｒｍｉｎ１｜）が比較される。比較相関値θと第１相関値Ｒτ１との差分の絶対値が、比較相関値θと近似相関値Ｒｍｉｎ１との差分の絶対値以下である場合（図１４のステップＳ４１３：Ｙｅｓ）、近似相関値Ｒｍｉｎ１よりも現時点の第１相関値Ｒτ１の方が比較相関値θに近いため、新たな近似相関値Ｒｍｉｎ１として現時点の第１相関値Ｒτ１が設定され、近似相関値Ｒｍｉｎ１が得られる遅延値τｍｉｎ１として第１遅延値τ１が設定される（図１４のステップＳ４１４）。
【００９３】
比較回数ｊが予め決められた規定回数Ｍの１つ前の数（Ｍ−１）以下である場合には（図１４のステップＳ４１５：Ｙｅｓ）、比較回数ｊがインクリメントされ、第１相関値Ｒτ１の遅延値τ１が所定の遅延値変更幅Δｄだけずらされる（図１４のステップＳ４１６）。
【００９４】
以上のような処理が比較回数ｊが規定回数Ｍに達するまで続けられる。
【００９５】
図１５に示す第１相関値Ｒτ１の遅延値τ１は、遅延値変更幅Δｄずつ移動され、比較回数ｊが規定回数Ｍに達した時点では、近似相関値Ｒｍｉｎ１に比較相関値θに最も近い値となる第１相関値Ｒτ１が設定されており、近似相関値Ｒｍｉｎ１が得られる遅延値τｍｉｎ１として第１遅延値τ１が設定されている。
【００９６】
第１遅延値τ１の探索が終了すると、同様にして、大きい方の第２遅延値τ２が探索される。
【００９７】
まず、比較相関値θと現時点の第２遅延値τ２における第２相関値Ｒτ２との差分の絶対値（｜θ−Ｒτ２｜）と、比較相関値θと近似相関値Ｒｍｉｎ２との差分の絶対値（｜θ−Ｒｍｉｎ２｜）が比較され、比較相関値θと第２相関値Ｒτ２との差分の絶対値が、比較相関値θと近似相関値Ｒｍｉｎ２との差分の絶対値以下である場合（図１４のステップＳ４１７：Ｙｅｓ）、新たな近似相関値Ｒｍｉｎ２として現時点の第２相関値Ｒτ２が設定され、近似相関値Ｒｍｉｎ２が得られる遅延値τｍｉｎ２として第２遅延値τ２が設定される（図１４のステップＳ４１８）。
【００９８】
比較回数ｋが規定回数Ｍの１つ前の数（Ｍ−１）以下である場合には（図１４のステップＳ４１９：Ｙｅｓ）、比較回数ｋがインクリメントされ、第２相関値Ｒτ２の遅延値τ２が所定の遅延値変更幅Δｄだけずらされる（図１４のステップＳ４２０）。
【００９９】
以上のような処理が比較回数ｋが規定回数Ｍに達するまで続けられる。
【０１００】
相関値Ｒτ１，Ｒτ２が比較相関値θに等しくなる第１遅延値τ１（τｍｉｎ１）および第２遅延値τ２（τｍｉｎ２）が探索されると、それらの中間の遅延値が最適遅延値τとして決定される（図１４のステップＳ４２１）。
【０１０１】
ここで、上述した遅延量推定装置の基本形態に対し、
入力信号とフィードバック信号との間で相関演算を行って最大相関値を算出する最大相関値算出部を備え、
遅延値探索部が、入力信号とフィードバック信号との間の最大相関値が得られる遅延値である遅延設定値よりも小さい第１の遅延値と遅延設定値よりも大きい第２の遅延値であって最大相関値算出部で算出された最大相関値に基づいて設定される比較相関値を有する第１の遅延値と第２の遅延値を探索するものであるという応用形態は好ましい。
【０１０２】
比較相関値θを有する第１遅延値τ１と第２遅延値τ２が探索されることによって、相関値のばらつきによって精度良く最大相関値が得られない場合であっても、最適遅延値τｍを精度良く算出することができる。
【０１０３】
以上で、第３実施形態の説明を終了し、第４実施形態について説明する。第４実施形態は、最大相関値が算出されない点が第１実施形態とは異なるが、第１実施形態とほぼ同様の構成を有しているため、第１実施形態と同じ要素については同じ符号を付して説明を省略し、相違点についてのみ説明する。
【０１０４】
図１６は、第４実施形態における信号送信装置の概略構成図である。
【０１０５】
図１６に示す信号送信装置１００´は、図３に示す第１実施形態の信号送信装置１００とほぼ同様の構成を有しているが、相関演算部１２１´および比較基準値判定部１２２´の処理内容が第１実施形態とは異なり、最大相関値の算出は行われない。相関演算部１２１´では、遅延量τを変化させながら入力信号Ｓ（ｔ）とフィードバック信号Ｓ（ｔ−τ）との相関値が算出され、比較基準値判定部１２２´では、入力信号の平均電力値が算出され、その平均電力値に基づいた比較相関値θを有する第１遅延値τ１および第２遅延値τ２が判定される。
【０１０６】
図１７は、入力信号とフィードバック信号との相関演算式である。
【０１０７】
入力信号Ｓ（ｔｉ）とフィードバック信号Ｓ´（ｔｉ）＊との相関値の平均値Ｅ｛Ｓ（ｔｉ）×Ｓ´（ｔｉ）＊｝は、図１７に示すように、最終的に、平均電力Σ（Ｉ２＋Ｑ２）／ｎと、係数αｅｊθとの積で表わされる。また、この係数αｅｊθは、平均電力Σ（Ｉ２＋Ｑ２）／ｎと比較して十分に小さいため、無視することができる。
【０１０８】
図１３に示す第３実施形態では、まずは最大相関値Ｒｍａｘが算出され、その最大相関値Ｒｍａｘに基づいた比較相関値θ（θ＝Ｒｍａｘ／Ｎ）を有する第１遅延値τ１および第２遅延値τ２が探索される。しかし、図１７に示すように、入力信号とフィードバック信号との相関値の平均値は、入力信号の平均電力にほぼ等しいため、最大相関値Ｒｍａｘを算出せずに、比較相関値θを設定することができる。
【０１０９】
図１８は、本実施形態において遅延量を推定する処理の概念を示す図である。
【０１１０】
図１６に示す相関演算部１２１´では、入力信号に対するフィードバック信号の遅延量を所定量ずつ増加させながら、入力信号とフィードバック信号との相関値が算出される。算出された相関値は、順次に比較基準値判定部１２２´に伝えられる。
【０１１１】
比較基準値判定部１２２´では、入力信号の平均電力が算出され、平均電力の１／Ｎの値が比較相関値θと決定される。さらに、比較基準値判定部１２２´では、相関演算部１２１´から伝えられた相関値と比較相関値θとが順次に比較され、比較相関値θと最も近い２つの相関値τ１，τ２が選択される。
【０１１２】
中心相関値判定部１２３では、選択された２つの相関値τ１，τ２の中間の遅延値が最適遅延量として決定される。
【０１１３】
ここで、上述した遅延量推定装置の基本形態に対し、
入力信号の平均電力値を算出する平均電力値算出部を備え、
遅延値探索部が、入力信号とフィードバック信号との間の最大相関値が得られる遅延値である遅延設定値よりも小さい第１の遅延値と該遅延設定値よりも大きい第２の遅延値であって平均電力値算出部で算出された平均電力値に基づいて設定される比較相関値を有する第１の遅延値と第２の遅延値を探索という応用形態は好ましい。
【０１１４】
入力信号の平均電力値を利用することによって、最大相関値を探索する手間を省くことができ、最適相関値τｍを算出する処理速度を向上させることができる。
【０１１５】
以上で、第４実施形態の説明を終了し、第５実施形態について説明する。第５実施形態についても、第１実施形態と同様の構成を有しているため、図３を第５実施形態でも流用し、相違点についてのみ説明する。
【０１１６】
本実施形態では、まず、図９に示す第２実施形態と同様の高速な最大相関値探索処理が実行された後、図１３に示す第３実施形態と同様に、探索された最大相関値Ｒｍａｘに基づいて比較相関値θ（Ｒｍａｘ／Ｎ）が決定され、高速な高分解調整処理が実行されることによって、比較相関値θを有する第１遅延値τ１および第２遅延値τ２が選択されて、それら第１遅延値τ１と第２遅延値τ２の中間の値が最適相関値に決定される。
【０１１７】
図１９は、高速な高分解能調整処理の一連の処理の流れを示すフローチャート図である。
【０１１８】
まず、現時点で最も比較相関値θに近い２つの近似相関値Ｒｍｉｎ１，Ｒｍｉｎ２の初期値が「∞」に設定され、相関値の許容値αが所定値「α０」に設定される（図１９のステップＳ５１１）。
【０１１９】
続いて、所定の遅延変更幅Ｙがマイナスの値に設定され、第１遅延値τ１の初期値が、最大相関値Ｒｍａｘが得られる遅延設定値τｍに遅延変更幅Ｙを加えた値に設定される（図１９のステップＳ５１２）。すなわち、第１遅延値τ１が、遅延設定値τｍよりも遅延値変更幅Ｙだけ小さい値に設定される。
【０１２０】
続いて、現時点の第１遅延値τ１における第１相関値Ｒτ１が取得され、比較相関値θと第１相関値Ｒτ１との差分の絶対値（｜θ−Ｒτ１｜）と、比較相関値θと近似相関値Ｒｍｉｎ１との差分の絶対値（｜θ−Ｒｍｉｎ１｜）が比較される。比較相関値θと第１相関値Ｒτ１との差分の絶対値が、比較相関値θと近似相関値Ｒｍｉｎ１との差分の絶対値以下である場合（図１９のステップＳ５１３：Ｙｅｓ）、近似相関値Ｒｍｉｎ１よりも現時点の第１相関値Ｒτ１の方が比較相関値θに近いため、新たな近似相関値Ｒｍｉｎ１として現時点の第１相関値Ｒτ１が設定され、近似相関値Ｒｍｉｎ１が得られる遅延値τｍｉｎ１として第１遅延値τ１が設定される（図１９のステップＳ５１４）。
【０１２１】
また、比較相関値θと現時点の近似相関値Ｒｍｉｎ１との差分の絶対値（｜θ−Ｒｍｉｎ１｜）が許容値αよりも大きい場合は（図１９のステップＳ５１５：Ｎｏ）、近似相関値Ｒｍｉｎ１が比較相関値θをまたいだか、すなわち、近似相関値Ｒｍｉｎ１と比較相関値θの大小関係が逆転したか否かが判定される。それらの大小関係が逆転した場合は（図１９のステップＳ５１６：Ｙｅｓ）、遅延値変更幅Ｙが１／Ｌ倍（Ｌは、１より大きい整数）されるとともに符号が変更され（図１９のステップＳ５１７）、遅延値変更幅Ｙの絶対値が「１」より小さくなった場合には（図１９のステップＳ５１８：Ｙｅｓ）、遅延変更幅Ｙの絶対値が「１」に設定される（図１９のステップＳ５１９）。
【０１２２】
さらに、第１相関値Ｒτ１が、現在の第１相関値Ｒτ１に遅延値変更幅Ｙを加えた値に変更され（図１９のステップＳ５２０）、比較相関値θと新たな第１相関値Ｒτ１との差分の絶対値（｜θ−Ｒτ１｜）と、比較相関値θと現時点の近似相関値Ｒｍｉｎ１との差分の絶対値（｜θ−Ｒｍｉｎ１｜）が比較される（図１９のステップＳ５１３）。
【０１２３】
以上のような処理が、比較相関値θと現時点の近似相関値Ｒｍｉｎ１との差分の絶対値（｜θ−Ｒｍｉｎ１｜）が許容値α以下となるまで繰り返される（図１９のステップＳ５１５：Ｙｅｓ）。
【０１２４】
本実施形態の高分解能調整処理によると、はじめは遅延値が大きく変化されながら、比較相関値θを有する第１遅延値τ１が探索されていき、第１遅延値τ１の相関値Ｒτ１が比較相関値θを超えた場合には、遅延値変更幅Ｙが１／Ｎ倍されるとともに正負の符号が逆転され、相関値Ｒτ１が比較相関値θに近づくように遅延値が少しずつ変化されながら第１遅延値τ１が探索されていく。
【０１２５】
第１遅延値τ１の探索が終了すると、第２遅延値τ２の探索が開始される。
【０１２６】
まず、遅延変更幅Ｙがプラスの値に設定され、第２遅延値τ２の初期値が、遅延設定値τｍに遅延変更幅Ｙを加えた値に設定される（図１９のステップＳ５１２）。すなわち、第２遅延値τ２が、遅延設定値τｍよりも遅延値変更幅Ｙだけ大きい値に設定される。
【０１２７】
続いて、比較相関値θと現時点の第２相関値Ｒτ２との差分の絶対値（｜θ−Ｒτ２｜）と、比較相関値θと近似相関値Ｒｍｉｎ２との差分の絶対値（｜θ−Ｒｍｉｎ２｜）が比較される。比較相関値θと第２相関値Ｒτ２との差分の絶対値が、比較相関値θと近似相関値Ｒｍｉｎ２との差分の絶対値以下である場合（図１９のステップＳ５２２：Ｙｅｓ）、新たな近似相関値Ｒｍｉｎ２として現時点の第１相関値Ｒτ２が設定され、近似相関値Ｒｍｉｎ２が得られる遅延値τｍｉｎ２として第２遅延値τ２が設定される（図１９のステップＳ５２３）。
【０１２８】
また、比較相関値θと現時点の近似相関値Ｒｍｉｎ２との差分の絶対値（｜θ−Ｒｍｉｎ２｜）が許容値αよりも大きい場合は（図１９のステップＳ５２４：Ｎｏ）、近似相関値Ｒｍｉｎ２と比較相関値θの大小関係が逆転したか否かが判定され、それらの大小関係が逆転した場合は（図１９のステップＳ５２５：Ｙｅｓ）、遅延値変更幅Ｙが１／Ｌ倍（Ｌは、１より大きい整数）されるとともに符号が変更され（図１９のステップＳ５２６）、遅延値変更幅Ｙの絶対値が「１」より小さくなった場合には（図１９のステップＳ５２７：Ｙｅｓ）、遅延変更幅Ｙの絶対値が「１」に設定される（図１９のステップＳ５２８）。
【０１２９】
さらに、第２相関値Ｒτ２が、現在の第２相関値Ｒτ２に遅延値変更幅Ｙを加えた値に変更され（図１９のステップＳ５２９）、比較相関値θと現時点の近似相関値Ｒｍｉｎ２との差分の絶対値（｜θ−Ｒｍｉｎ２｜）が許容値α以下となるまで上記の処理が繰り返される。
【０１３０】
相関値Ｒτ１，Ｒτ２が比較相関値θに等しくなる第１遅延値τ１（τｍｉｎ１）および第２遅延値τ２（τｍｉｎ２）が探索されると、それらの中間の遅延値が最適遅延値として決定される（図１４のステップＳ４２１）。
【０１３１】
ここで、上述した遅延量推定装置の基本形態に対し、
遅延値探索部が、前記第１の遅延値と前記第２の遅延値のそれぞれについて、該遅延値における相関値と比較相関値との大小を判定し該遅延値における相関値を該比較相関値に近づける方向に、該遅延値を第１の遅延幅ずつ、変更後の遅延値における相関値と該比較相関値との大小関係が逆転するまで変化させ、該大小関係が逆転した場合に、該遅延値を、該遅延値における相関値を該比較相関値に近づける方向に、前記第１の遅延幅よりも小さい第２の遅延幅ずつ、変更後の遅延値における相関値と該比較相関値との大小関係が逆転するまで変化させ、これを順次繰り返すことにより、該第１の遅延値における相関値と該第２の遅延値における相関値との双方が該比較相関値に揃った、該第１の遅延値と該第２の遅延値を求めるものであるという応用形態は好ましい。
【０１３２】
はじめは大きく遅延値を変更しながら、相関値が比較相関値に等しくなる第１の遅延値および第２の遅延値を探索し、相関値と比較相関値の大小関係が逆転したら小さく遅延値を変更しながら探索を続けることによって、全ての遅延値に対する相関値を比較相関値と比較する手間を省くことができ、処理を高速化することができる。
【０１３３】
以下、本発明の各種形態について付記する。
【０１３４】
（付記１）
入力信号に対する、該入力信号に信号処理を施して出力する信号処理装置からのフィードバック信号の遅延量を推定する遅延量推定装置において、
入力信号とフィードバック信号との間の最大相関値が得られる遅延値である遅延設定値よりも小さい第１の遅延値と該遅延設定値よりも大きい第２の遅延値であって相関値が互いに等しい第１の遅延値と第２の遅延値を探索する遅延値探索部と、
前記遅延値探索部での探索終了後の第１の遅延値τ１と第２の遅延値τ２との中間の遅延値(τ１＋τ２）／２を、前記入力信号に対する前記フィードバック信号の遅延量として推定する遅延推定部とを備えたことを特徴とする遅延量推定装置。
【０１３５】
（付記２）
入力信号とフィードバック信号との間で相関演算を行って前記最大相関値を算出する最大相関値算出部を備え、
前記遅延値探索部が、入力信号とフィードバック信号との間の最大相関値が得られる遅延値である遅延設定値よりも小さい第１の遅延値と該遅延設定値よりも大きい第２の遅延値であって前記最大相関値算出部で算出された最大相関値に基づいて設定される比較相関値を有する第１の遅延値と第２の遅延値を探索するものであることを特徴とする付記１記載の遅延量推定装置。
【０１３６】
（付記３）
入力信号の平均電力値を算出する平均電力値算出部を備え、
前記遅延値探索部が、入力信号とフィードバック信号との間の最大相関値が得られる遅延値である遅延設定値よりも小さい第１の遅延値と該遅延設定値よりも大きい第２の遅延値であって前記平均電力値算出部で算出された平均電力値に基づいて設定される比較相関値を有する第１の遅延値と第２の遅延値を探索するものであることを特徴とする付記１記載の遅延量推定装置。
【０１３７】
（付記４）
前記遅延値探索部が、前記第１の遅延値と前記第２の遅延値のそれぞれについて、該遅延値における相関値と比較相関値との大小を判定し該遅延値における相関値を該比較相関値に近づける方向に、該遅延値を第１の遅延幅ずつ、変更後の遅延値における相関値と該比較相関値との大小関係が逆転するまで変化させ、該大小関係が逆転した場合に、該遅延値を、該遅延値における相関値を該比較相関値に近づける方向に、前記第１の遅延幅よりも小さい第２の遅延幅ずつ、変更後の遅延値における相関値と該比較相関値との大小関係が逆転するまで変化させ、これを順次繰り返すことにより、該第１の遅延値における相関値と該第２の遅延値における相関値との双方が該比較相関値に揃った、該第１の遅延値と該第２の遅延値を求めるものであることを特徴とする付記２又は３記載の遅延量推定装置。
【０１３８】
（付記５）
前記第１の遅延値τ１の初期値である第１の初期遅延値τ１０と前記第２の遅延値τ２の初期値である第２の初期遅延値τ２０とを設定する初期遅延値設定部を備え、
前記遅延値探索部が、前記初期遅延値設定部で設定された前記第１の遅延値τ１と前記第２の遅延値τ２の少なくとも一方の遅延値を変化させて、該第１の遅延値τ１における相関値と該第２の遅延値τ２における相関値が互いに等しくなる該第１の遅延値τ１と該第２の遅延値τ２を探索するものであることを特徴とする付記１記載の遅延量推定装置。
【０１３９】
（付記６）
入力信号とフィードバック信号との間で相関演算を行って前記最大相関値を算出する最大相関値算出部を備え、
前記初期遅延値設定部が、前記第１の初期遅延値τ１０と前記第２の初期遅延値τ２０とのうちの一方の初期遅延値について、前記最大相関値算出部で算出された最大相関値に基づいて設定される比較相関値が得られる遅延値を該一方の初期遅延値として設定し、該最大相関値が得られる遅延設定値から該一方の初期遅延値までの遅延幅と同一の遅延幅だけ、該遅延設定値から該一方の初期遅延値とは反対方向に離れた遅延値を他方の初期遅延値として設定するものであることを特徴とする付記５記載の遅延量推定装置。
【０１４０】
（付記７）
前記遅延値探索部は、前記第１の遅延値τ１と前記第２の遅延値τ２との間の遅延値幅（τ２−τ１）を、前記初期遅延値設定部で設定された前記第１の初期遅延値τ１０と前記第２の初期遅延値τ２０との間の遅延値幅(τ２０−τ１０）に固定したまま、該第１の遅延値と該第２の遅延値とを変化させて、該第１の遅延値τ１における相関値と該第２の相関値τ２における相関値が互いに等しくなる該第１の遅延値τ１と該第２の遅延値τ２を探索するものであることを特徴とする付記５又は６記載の遅延量推定装置。
【０１４１】
（付記８）
前記遅延値探索部が、前記第１の遅延値と前記第２の遅延値の双方を、該第１の遅延値における相関値と該第２の遅延値における相関値のうちの値の大きい方の相関値の値を下げるとともに値の小さい方の相関値の値を上げる方向に、第１の遅延幅ずつ、変更後の、第１の遅延値における相関値と第２の遅延値における相関値との大小関係が逆転するまで変化させ、該大小関係が逆転した場合に、該第１の遅延値と該第２の遅延値との双方を、該第１の遅延値における相関値と該第２の遅延値における相関値のうちの値の大きい方の相関値の値を下げるとともに値の小さい方の相関値の値を上げる方向に、前記第１の遅延幅よりも小さい第２の遅延幅ずつ、変更後の、第１の遅延値における相関値と第２の遅延値における相関値の大小関係が逆転するまで変化させ、これを順次繰り返すことにより該第１の遅延値における相関値と該第２の遅延値における相関値が互いに等しくなる、該第１の遅延値と該第２の遅延値を求めるものであることを特徴とする付記７記載の遅延量推定装置。
【０１４２】
（付記９）
入力信号を増幅する増幅回路と、
前記入力信号由来の第１の信号と、前記増幅回路の出力信号由来の第２の信号とに基づいて、該増幅回路から歪みが低減された出力信号が出力されるように入力信号を補正して該増幅回路に供給する歪補正回路と、
入力信号に対する、前記増幅回路からのフィードバック信号の遅延量を推定する遅延推定回路と、
前記遅延推定回路で推定された遅延量に基づいて前記第１の信号を遅延させて前記歪み補正回路に供給する遅延回路と、
前記増幅回路によって増幅された信号を送信する送信回路とを備え、
前記遅延推定回路は、
入力信号とフィードバック信号との間の最大相関値が得られる遅延値である遅延設定値よりも小さい第１の遅延値と該遅延設定値よりも大きい第２の遅延値であって相関値が互いに等しい第１の遅延値と第２の遅延値を探索する遅延値探索部と、
前記遅延値探索部での探索終了後の第１の遅延値τ１と第２の遅延値τ２との中間の遅延値(τ１＋τ２）／２を、前記入力信号に対する前記フィードバック信号の遅延量として推定する遅延推定部とを備えたことを特徴とする信号送信装置。
【０１４３】
（付記１０）
前記遅延推定回路は、
入力信号とフィードバック信号との間で相関演算を行って前記最大相関値を算出する最大相関値算出部を備え、
前記遅延値探索部が、入力信号とフィードバック信号との間の最大相関値が得られる遅延値である遅延設定値よりも小さい第１の遅延値と該遅延設定値よりも大きい第２の遅延値であって前記最大相関値算出部で算出された最大相関値に基づいて設定される比較相関値を有する第１の遅延値と第２の遅延値を探索するものであることを特徴とする付記９記載の信号送信装置。
【０１４４】
（付記１１）
前記遅延推定回路は、
入力信号の平均電力値を算出する平均電力値算出部を備え、
前記遅延値探索部が、入力信号とフィードバック信号との間の最大相関値が得られる遅延値である遅延設定値よりも小さい第１の遅延値と該遅延設定値よりも大きい第２の遅延値であって前記平均電力値算出部で算出された平均電力値に基づいて設定される比較相関値を有する第１の遅延値と第２の遅延値を探索するものであることを特徴とする付記９記載の信号送信装置。
【０１４５】
（付記１２）
前記遅延値探索部が、前記第１の遅延値と前記第２の遅延値のそれぞれについて、該遅延値における相関値と比較相関値との大小を判定し該遅延値における相関値を該比較相関値に近づける方向に、該遅延値を第１の遅延幅ずつ、変更後の遅延値における相関値と該比較相関値との大小関係が逆転するまで変化させ、該大小関係が逆転した場合に、該遅延値を、該遅延値における相関値を該比較相関値に近づける方向に、前記第１の遅延幅よりも小さい第２の遅延幅ずつ、変更後の遅延値における相関値と該比較相関値との大小関係が逆転するまで変化させ、これを順次繰り返すことにより、該第１の遅延値における相関値と該第２の遅延値における相関値との双方が該比較相関値に揃った、該第１の遅延値と該第２の遅延値を求めるものであることを特徴とする付記１０又は１１記載の信号送信装置。
【０１４６】
（付記１３）
前記遅延推定回路は、
前記第１の遅延値τ１の初期値である第１の初期遅延値τ１０と前記第２の遅延値τ２の初期値である第２の初期遅延値τ２０とを設定する初期遅延値設定部を備え、
前記遅延値探索部が、前記初期遅延値設定部で設定された前記第１の遅延値τ１と前記第２の遅延値τ２の少なくとも一方の遅延値を変化させて、該第１の遅延値τ１における相関値と該第２の遅延値τ２における相関値が互いに等しくなる該第１の遅延値τ１と該第２の遅延値τ２を探索するものであることを特徴とする付記９記載の信号送信装置。
【０１４７】
（付記１４）
前記遅延推定回路は、
入力信号とフィードバック信号との間で相関演算を行って前記最大相関値を算出する最大相関値算出部を備え、
前記初期遅延値設定部が、前記第１の初期遅延値τ１０と前記第２の初期遅延値τ２０とのうちの一方の初期遅延値について、前記最大相関値算出部で算出された最大相関値に基づいて設定される比較相関値が得られる遅延値を該一方の初期遅延値として設定し、該最大相関値が得られる遅延設定値から該一方の初期遅延値までの遅延幅と同一の遅延幅だけ、該遅延設定値から該一方の初期遅延値とは反対方向に離れた遅延値を他方の初期遅延値として設定するものであることを特徴とする付記１３記載の信号送信装置。
【０１４８】
（付記１５）
前記遅延値探索部は、前記第１の遅延値τ１と前記第２の遅延値τ２との間の遅延値幅（τ２−τ１）を、前記初期遅延値設定部で設定された前記第１の初期遅延値τ１０と前記第２の初期遅延値τ２０との間の遅延値幅(τ２０−τ１０）に固定したまま、該第１の遅延値と該第２の遅延値とを変化させて、該第１の遅延値τ１における相関値と該第２の相関値τ２における相関値が互いに等しくなる該第１の遅延値τ１と該第２の遅延値τ２を探索するものであることを特徴とする付記１３又は１４記載の信号送信装置。
【０１４９】
（付記１６）
前記遅延値探索部が、前記第１の遅延値と前記第２の遅延値の双方を、該第１の遅延値における相関値と該第２の遅延値における相関値のうちの値の大きい方の相関値の値を下げるとともに値の小さい方の相関値の値を上げる方向に、第１の遅延幅ずつ、変更後の、第１の遅延値における相関値と第２の遅延値における相関値との大小関係が逆転するまで変化させ、該大小関係が逆転した場合に、該第１の遅延値と該第２の遅延値との双方を、該第１の遅延値における相関値と該第２の遅延値における相関値のうちの値の大きい方の相関値の値を下げるとともに値の小さい方の相関値の値を上げる方向に、前記第１の遅延幅よりも小さい第２の遅延幅ずつ、変更後の、第１の遅延値における相関値と第２の遅延値における相関値の大小関係が逆転するまで変化させ、これを順次繰り返すことにより該第１の遅延値における相関値と該第２の遅延値における相関値が互いに等しくなる、該第１の遅延値と該第２の遅延値を求めるものであることを特徴とする付記１５記載の信号送信装置。
【図面の簡単な説明】
【０１５０】
【図１】電力増幅器および歪補償機構の概略的な機能ブロック図である。
【図２】入力信号に対するフィードバック信号の遅延量と、入力信号とフィードバック信号との相関値との関係を示す図である。
【図３】信号送信装置の概略構成図である。
【図４】最適遅延量の算出方法を示す概念図である。
【図５】最適遅延量を算出する一連の処理の流れを示すフローチャート図である。
【図６】最大相関値探索処理の一連の流れを示すフローチャート図である。
【図７】高分解能調整処理における一連の流れを示すフローチャート図である。
【図８】第２実施形態において、最適遅延量を算出する一連の処理の流れを示すフローチャート図である。
【図９】第２実施形態における最大相関値探索処理の一連の流れを示すフローチャート図である。
【図１０】第２実施形態の最大相関値探索処理を示す概念図である。
【図１１】第２実施形態の高分解能調整処理における一連の流れを示すフローチャート図である。
【図１２】第２実施形態の高分解調整処理を示す概念図である。
【図１３】第３実施形態において、最適遅延量を算出する一連の処理の流れを示すフローチャート図である。
【図１４】第３実施形態における高分解能調整処理の一連の流れを示すフローチャート図である。
【図１５】第３実施形態における高分解能調整処理の概念を示す図である。
【図１６】第４実施形態における信号送信装置の概略構成図である。
【図１７】入力信号とフィードバック信号との相関演算式である。
【図１８】第４実施形態において遅延量を推定する処理の概念を示す図である。
【図１９】高速な高分解能調整処理の一連の処理の流れを示すフローチャート図である。
【符号の説明】
【０１５１】
１００    信号送信装置
１１０    信号生成部
１２０    遅延推定部
１３０    遅延調整部
１４０    プリディストーション部
１５０    Ｄ／Ａ変換部
１６０    Ａ／Ｄ変換部
１７０    信号増幅器
１８０    信号送信部
１９０    アンテナ
【図１】
2010034863.tif 000003
【図２】
2010034863.tif 000004
【図３】
2010034863.tif 000005
【図４】
2010034863.tif 000006
【図５】
2010034863.tif 000007
【図６】
2010034863.tif 000008
【図７】
2010034863.tif 000009
【図８】
2010034863.tif 000010
【図９】
2010034863.tif 000011
【図１０】
2010034863.tif 000012
【図１１】
2010034863.tif 000013
【図１２】
2010034863.tif 000014
【図１３】
2010034863.tif 000015
【図１４】
2010034863.tif 000016
【図１５】
2010034863.tif 000017
【図１６】
2010034863.tif 000018
【図１７】
2010034863.tif 000019
【図１８】
2010034863.tif 000020
【図１９】
2010034863.tif 000021